(57)【要約】【課題】あるアーティストの楽曲をカラオケ歌唱する利用者に対し、他のアーティストを勧めるリモコン装置を提供する。【解決手段】楽曲に関連する年代、アーティスト名、及び楽曲識別情報を含む属性データを記憶するデータ記憶部、特定した一のアーティスト名を含む属性データを抽出する第１抽出部、抽出された属性データに含まれる年代を特定する年代特定部、特定された年代を含む属性データであって、抽出された属性データ以外の他の属性データを抽出する第２抽出部、他の属性データに含まれる他のアーティスト名を表示部に表示する表示制御部、を有するリモコン装置。【選択図】図２
2020020893.tif 000002
【特許請求の範囲】
【請求項１】
カラオケ装置と通信可能なリモコン装置であって、
前記カラオケ装置でカラオケ演奏が可能な楽曲について、当該楽曲に関連する年代、アーティスト名、及び楽曲識別情報を含む属性データを記憶するデータ記憶部と、
利用者の操作入力に伴って一のアーティスト名が特定された場合、当該一のアーティスト名を含む属性データを抽出する第１抽出部と、
前記第１抽出部により抽出された前記属性データに含まれる年代を特定する年代特定部と、
特定された前記年代を含む属性データであって、前記第１抽出部により抽出された前記属性データ以外の他の属性データを抽出する第２抽出部と、
前記他の属性データに含まれる他のアーティスト名を表示部に表示する表示制御部と、
を有するリモコン装置。
【請求項２】
他のアーティスト名毎に前記他の属性データの数をカウントする第１のカウント部を有し、
前記表示制御部は、カウントされた前記他の属性データの数が多い他のアーティスト名から優先的に表示することを特徴とする請求項１記載のリモコン装置。
【請求項３】
他のアーティスト名毎に前記他の属性データに含まれる年代の種類数をカウントする第２のカウント部を有し、
前記表示制御部は、カウントされた前記年代の種類数が多い他のアーティスト名から優先的に表示することを特徴とする請求項１記載のリモコン装置。
【請求項４】
前記一のアーティスト名を含む属性データに含まれる年代毎に、当該一のアーティスト名を含む属性データの数をカウントする第３のカウント部と、
カウントされた前記属性データの数に基づいて、年代毎の係数を算出する係数算出部と、
前記他の属性データに基づいて、他のアーティスト名毎且つ年代毎に他の属性データの数をカウントする第４のカウント部と、
カウントされた前記他の属性データの数を、前記年代毎の係数に基づいて補正する補正部と、
補正された前記他の属性データの数を、他のアーティスト名毎に合算する合算部と、
を有し、
前記表示制御部は、合算された前記他の属性データの数が多い他のアーティスト名から優先的に表示することを特徴とする請求項１記載のリモコン装置。
【発明の詳細な説明】
【技術分野】
【０００１】
本発明はリモコン装置に関する。
【背景技術】
【０００２】
現在普及しているカラオケ装置には何万曲もの楽曲が記憶されている。カラオケ装置の利用者は、カラオケ装置に付属するリモコン装置を用いて、このような膨大な楽曲の中からカラオケ歌唱を希望する楽曲を簡単に検索できる。
【０００３】
ところで、利用者の中には、新しい楽曲のカラオケ歌唱を行いたいと考える者や、カラオケ歌唱可能な楽曲（レパートリー）を増やしたいと考える者もいる。特許文献１には、カラオケ装置でカラオケ演奏が可能な各楽曲について、選曲した顧客群の性別、年齢、地域性、および演奏頻度などを評価基準として数値化しておき、演奏中の楽曲と数値の近い楽曲を、数値が近い順にディスプレイに表示することで、演奏中の楽曲を選曲した顧客と似た嗜好を持つ人たちがよく選んでいる楽曲を勧める技術が開示されている。
【先行技術文献】
【特許文献】
【０００４】
【特許文献１】特開平１１−０５２９６５号公報
【発明の概要】
【発明が解決しようとする課題】
【０００５】
本発明の目的は、あるアーティストの楽曲をカラオケ歌唱する利用者に対し、他のアーティストを勧めるリモコン装置を提供することにある。
【課題を解決するための手段】
【０００６】
上記目的を達成するための一の発明は、カラオケ装置と通信可能なリモコン装置であって、前記カラオケ装置でカラオケ演奏が可能な楽曲について、当該楽曲に関連する年代、アーティスト名、及び楽曲識別情報を含む属性データを記憶するデータ記憶部と、利用者の操作入力に伴って特定した一のアーティスト名を含む属性データを抽出する第１抽出部と、前記第１抽出部により抽出された前記属性データに含まれる年代を特定する年代特定部と、特定された前記年代を含む属性データであって、前記第１抽出部により抽出された前記属性データ以外の他の属性データを抽出する第２抽出部と、前記他の属性データに含まれる他のアーティスト名を表示部に表示する表示制御部と、を有するリモコン装置である。
本発明の他の特徴については、後述する明細書及び図面の記載により明らかにする。
【発明の効果】
【０００７】
本発明によれば、あるアーティストの楽曲をカラオケ歌唱する利用者に対し、他のアーティストを勧めることができる。
【図面の簡単な説明】
【０００８】
【図１】第１実施形態に係るリモコン装置とカラオケ装置の概略を示す図である。
【図２】第１実施形態に係るリモコン装置のハードウェア構成例を示す図である。
【図３】第１実施形態に係るデータ記憶部に記憶されている属性データを示す図である。
【図４】第１実施形態において特定されたアーティスト名を含む属性データを示す図である。
【図５】第１実施形態において抽出された他の属性データを示す図である。
【図６】第１実施形態に係る表示部の表示画面を示す図である。
【図７】第１実施形態に係るリモコン装置の処理を示すフローチャートである。
【図８】第２実施形態に係るリモコン装置のハードウェア構成例を示す図である。
【図９】第２実施形態におけるアーティスト名毎の属性データの数を示す図である。
【図１０】第２実施形態に係る表示部の表示画面を示す図である。
【図１１】第２実施形態に係るリモコン装置の処理を示すフローチャートである。
【図１２】第３実施形態に係るリモコン装置のハードウェア構成例を示す図である。
【図１３】第３実施形態におけるアーティスト名毎の年代の種類を示す図である。
【図１４】第３実施形態に係る表示部の表示画面を示す図である。
【図１５】第３実施形態に係るリモコン装置の処理を示すフローチャートである。
【図１６】第４実施形態に係るリモコン装置のハードウェア構成例を示す図である。
【図１７】第４実施形態における一のアーティスト名における年代毎の属性データの数を示す図である。
【図１８】第４実施形態における年代毎の係数を示す図である。
【図１９】第４実施形態におけるアーティスト名毎且つ年代毎の属性データの数を示す図である。
【図２０】第４実施形態におけるアーティスト名毎且つ年代毎の属性データの数（補正後）を示す図である。
【図２１】第４実施形態におけるアーティスト名に合算された属性データの数を示す図である。
【図２２】第４実施形態に係る表示部の表示画面を示す図である。
【図２３】第４実施形態に係るリモコン装置の処理を示すフローチャートである。
【発明を実施するための形態】
【０００９】
＜第１実施形態＞
図１〜図７を参照して、第１実施形態に係るリモコン装置１について説明する。
【００１０】
図１は、リモコン装置１及びカラオケ装置２を示した図である。リモコン装置１は、カラオケ装置２に対する各種指示入力をおこなうための装置である。カラオケ装置２は、楽曲のカラオケ演奏、及び利用者がカラオケ歌唱を行うための装置である。リモコン装置１とカラオケ装置２とを予めペアリングしておくことにより、リモコン装置１はカラオケ装置２と通信できる。利用者は、リモコン装置１を介して、カラオケ歌唱を希望する楽曲の選曲（予約）等の指示入力を行うことができる。リモコン装置１は、これらの指示入力に応じた指示コマンドをカラオケ装置２に送信する。カラオケ装置２は、指示コマンドに基づく処理を実行する。
【００１１】
＝＝リモコン装置＝＝
図２はリモコン装置１のハードウェア構成例を示す図である。リモコン装置１は、記憶部１０、通信部１１、表示部１２、操作部１３、及び制御部１４を備える。各構成はインターフェース（図示なし）を介してバスＢに接続されている。
【００１２】
［記憶部］
記憶部１０は、各種のデータを記憶する大容量の記憶装置である。本実施形態における記憶部１０の記憶領域の一部は、データ記憶部１０ａとして機能する。
【００１３】
（データ記憶部）
データ記憶部１０ａは、カラオケ装置２でカラオケ演奏が可能な楽曲について、当該楽曲に関連する年代、アーティスト名、及び楽曲識別情報を含む属性データを記憶する。
【００１４】
楽曲に関する年代は、楽曲が発表された年代や楽曲が流行した年代である。年代は、１９９０年、２０００年といった一年単位であってもよいし、１９７０年代、１９９０年代のように数年単位であってもよい。アーティスト名は、楽曲を歌唱するアーティストの名前である。楽曲識別情報は、各楽曲を識別するための専用ＩＤ（楽曲ＩＤ）である。楽曲識別情報は、楽曲の予約時にリモコン装置１からカラオケ装置２に送信される楽曲ＩＤと共通である。
【００１５】
図３は、データ記憶部１０ａに記憶されている属性データの例を示す。図３では、年代を一年単位としている。また図３に示した属性データは、曲名及びジャンルを含んでいる。
【００１６】
［通信部・表示部・操作部］
通信部１１は、リモコン装置１とカラオケ装置２とを接続するためのインターフェースを提供する。表示部１２はカラオケ楽曲の検索画面等、各種表示を行うための構成である。操作部１３は、リモコン装置１に対して操作入力を行うための構成である。本実施形態に係る操作部１３は、表示部１２を用いたタッチパネルである。タッチパネルの画面には、各種操作に応じた複数のアイコンが表示される。
【００１７】
［制御部］
制御部１４は、リモコン装置１における各種の制御を行う。制御部１４は、ＣＰＵおよびメモリ（いずれも図示無し）を備える。ＣＰＵは、メモリに記憶されたプログラムを実行することにより各種の機能を実現する。本実施形態において制御部１４は、第１抽出部１４ａ、年代特定部１４ｂ、第２抽出部１４ｃ、及び表示制御部１４ｄとして機能する（図２参照）。
【００１８】
（第１抽出部）
第１抽出部１４ａは、利用者の操作入力に伴って特定した一のアーティスト名を含む属性データを抽出する。
【００１９】
操作入力は、利用者が操作部１３を介して行う。操作入力に伴う一のアーティスト名の特定は様々な場面で行うことができる。
【００２０】
たとえば、利用者がリモコン装置１を介してカラオケ歌唱を希望する楽曲の検索を行い、楽曲「獣の数字」を選択したとする。リモコン装置１は、当該楽曲の楽曲ＩＤをカラオケ装置２に送信する。この場合、第１抽出部１４ａは、データ記憶部１０ａに記憶されている属性データ（図３参照）を参照し、楽曲「獣の数字」の楽曲ＩＤに対応付けられたアーティスト名「沙羅慢銅鑼」を特定する。
【００２１】
或いは、利用者が、好みのアーティストに関連した「お勧めアーティスト」を知りたいと考える場合もある。この場合、利用者は、リモコン装置１が提供する専用モードを選択し、好みのアーティスト名の入力を行う。第１抽出部１４ａは、入力された好みのアーティスト名を「一のアーティスト名」として特定する。
【００２２】
一のアーティスト名を特定した後、第１抽出部１４ａは、データ記憶部１０ａを参照し、特定した一のアーティスト名を含む属性データを抽出する。図４は、本実施形態において特定したアーティスト名「沙羅慢銅鑼」を含む５つの属性データを示している。
【００２３】
（年代特定部）
年代特定部１４ｂは、第１抽出部１４ａにより抽出された属性データに含まれる年代を特定する。
【００２４】
上述の通り、各属性データには年代の情報が含まれている。年代特定部１４ｂは、抽出された属性データに含まれる年代を抽出する。重複する年代がある場合、年代特定部１４ｂは、いずれか一つの年代を特定すればよい。
【００２５】
たとえば、図４に示した属性データが抽出された場合、年代特定部１４ｂは、「１９９２年」、「１９９３年」、「１９９４年」の３つの年代を特定する。
【００２６】
（第２抽出部）
第２抽出部１４ｃは、特定された年代を含む属性データであって、第１抽出部１４ａにより抽出された属性データ以外の他の属性データを抽出する。
【００２７】
他の属性データは、データ記憶部１０ａに記憶されている属性データの一部である。
【００２８】
たとえば、上記例の通りアーティスト名「沙羅慢銅鑼」を含む属性データから、「１９９２年」、「１９９３年」、「１９９４年」の年代が特定されたとする。この場合、第２抽出部１４ｃは、データ記憶部１０ａに記憶されている属性データの中から、「１９９２年」、「１９９３年」、または「１９９４年」を年代として含む属性データ、且つ「沙羅慢銅鑼」をアーティスト名として含まない属性データを「他の属性データ」として抽出する。図５は、抽出された他の属性データの例を示す。
【００２９】
（表示制御部）
表示制御部１４ｄは、リモコン装置１における各種表示制御を行う。本実施形態において、表示制御部１４ｄは、他の属性データに含まれる他のアーティスト名を表示部１２に表示する。
【００３０】
表示制御部１４ｄは、第２抽出部１４ｃが抽出した他の属性データに含まれているアーティスト名（他のアーティスト名）を特定し、特定したアーティスト名を表示部１２に表示させる。表示制御部１４ｄは、たとえば、予約楽曲のカラオケ演奏が終了したタイミングでアーティスト名を表示させる。
【００３１】
図６は、図５に示した他の属性データに含まれるアーティスト名を表示した例を示している。この例において、表示制御部１４ｄは、特定したアーティスト名を全て表示しているが、特定したアーティスト名の中から一部のアーティスト名だけを表示してもよい。また、図６に示すように、表示制御部１４ｄは、アーティスト名の傍に「曲表示」のアイコンを表示してもよい。操作部１３を介して利用者が「曲表示」アイコンを選択した場合、表示制御部１４ｄは、対応するアーティストの歌唱する楽曲名のリストを表示部１２に表示させる。また、表示制御部１４ｄは、他の属性データに含まれるジャンルを併せて表示することも可能である。アーティスト名と併せてジャンルを表示することにより、利用者は自分が好きなジャンルや得意なジャンルのアーティストを選ぶことが可能となる。
【００３２】
＝＝リモコン装置における処理について＝＝
次に、図７を参照して本実施形態に係るリモコン装置１における処理について述べる。図７は、リモコン装置１における処理例を示すフローチャートである。この例では、データ記憶部１０ａが複数の属性データを記憶している。
【００３３】
ある利用者が、操作部１３を介してカラオケ歌唱する楽曲の予約を行ったとする。この場合、第１抽出部１４ａは、データ記憶部１０ａに記憶されている属性データを参照し、予約した楽曲を歌唱する一のアーティスト名を特定する（一のアーティスト名の特定。ステップ１０）。
【００３４】
第１抽出部１４ａは、データ記憶部１０ａの中から、ステップ１０で特定された一のアーティスト名を含む属性データを抽出する（一のアーティスト名を含む属性データの抽出。ステップ１１）。
【００３５】
年代特定部１４ｂは、ステップ１１で抽出された属性データに含まれる年代を特定する（年代の特定。ステップ１２）。
【００３６】
第２抽出部１４ｃは、ステップ１２で特定された年代を含む属性データであって、ステップ１１で抽出された属性データ以外の他の属性データを抽出する（他の属性データの抽出。ステップ１３）。
【００３７】
表示制御部１４ｄは、ステップ１３で抽出した他の属性データに含まれる他のアーティスト名を表示部１２に表示する（他のアーティスト名の表示。ステップ１４）。
【００３８】
このように、本実施形態に係るリモコン装置１は、カラオケ装置２と通信可能である。リモコン装置１は、カラオケ装置２でカラオケ演奏が可能な楽曲について、当該楽曲に関連する年代、アーティスト名、及び楽曲識別情報を含む属性データを記憶するデータ記憶部１０ａと、利用者の操作入力に伴って特定した一のアーティスト名を含む属性データを抽出する第１抽出部１４ａと、第１抽出部１４ａにより抽出された属性データに含まれる年代を特定する年代特定部１４ｂと、特定された年代を含む属性データであって、第１抽出部１４ａにより抽出された属性データ以外の他の属性データを抽出する第２抽出部１４ｃと、他の属性データに含まれる他のアーティスト名を表示部１２に表示する表示制御部１４ｄと、を有する。
【００３９】
このように、利用者の操作入力に伴って特定された一のアーティスト名に基づいて、他のアーティスト名を表示することにより、利用者は、次にカラオケ歌唱する楽曲を選びやすくなったり、新たなレパートリーを増やすきっかけを得ることができる。また、表示されるアーティスト名は、一のアーティスト名が含まれる属性データと年代が共通する他の属性データに含まれるものである。従って、利用者にとっては、当該アーティストの楽曲を過去にカラオケ歌唱したことが無い場合であっても、知っている楽曲がある、或いはサビを聴いたことのある楽曲があるといった可能性が高くなる。このように、本実施形態に係るリモコン装置１によれば、あるアーティストの楽曲をカラオケ歌唱する利用者に対し、他のアーティストを勧めることができる。
【００４０】
＜第２実施形態＞
次に、図８〜図１１を参照して、第２実施形態に係るリモコン装置１について説明する。本実施形態に係るリモコン装置１は、他の属性データの数を考慮してアーティスト名を優先的に表示する。なお、第１実施形態と同様の構成については詳細な説明を省略する。
【００４１】
＝＝リモコン装置＝＝
図８はリモコン装置１のハードウェア構成例を示す図である。本実施形態において制御部１４は、第１抽出部１４ａ、年代特定部１４ｂ、第２抽出部１４ｃ、表示制御部１４ｄ、及び第１のカウント部１４ｅとして機能する。
【００４２】
（第１のカウント部）
第１のカウント部１４ｅは、他のアーティスト名毎に他の属性データの数をカウントする。
【００４３】
第１実施形態で述べたように、第２抽出部１４ｃは他の属性データを抽出する。第１のカウント部１４ｅは、抽出された他の属性データを、当該他の属性データに含まれるアーティスト名毎にカウントする。
【００４４】
たとえば、図５に示したような属性データが抽出されたとする。この場合、第１のカウント部１４ｅは、アーティスト名毎に属性データの数をカウントし、竹田聖子「２」、酔吐零次「４」、ＭＥＴＡＢＯＣＡ「３」、ＢＥＥＲＳ「３」という値を得る（図９参照）。
【００４５】
（表示制御部）
本実施形態に係る表示制御部１４ｄは、カウントされた他の属性データの数が多い他のアーティスト名から優先的に表示する。
【００４６】
図９の例において、属性データの数が最も多いのは、酔吐零次の「４」である。よって、表示制御部１４ｄは、アーティスト名「酔吐零次」を表示画面の一番上に表示し、属性データの数が多い方から、「ＭＥＴＡＢＯＣＡ」、「ＢＥＥＲＳ」、「竹田聖子」の順で表示させる（図１０参照）。なお、「ＭＥＴＡＢＯＣＡ」と「ＢＥＥＲＳ」のように属性データの数が同じ場合には、どちらを優先してもよい。また、優先的な表示としては、表示順に限らず、表示される文字のサイズやフォントを変える（属性データの数が多いほど大きなサイズで目立つフォントを使用する等）ことでもよいし、属性データの数が所定数以上のアーティスト名のみを表示させることでもよい。
【００４７】
＝＝リモコン装置における処理について＝＝
次に、図１１を参照して本実施形態に係るリモコン装置１における処理について述べる。図１１は、リモコン装置１における処理例を示すフローチャートである。この例では、データ記憶部１０ａが複数の属性データを記憶している。
【００４８】
ステップ２０〜ステップ２３は、第１実施形態のステップ１０〜ステップ１３と同様であるため詳細な説明を省略する。
【００４９】
第１のカウント部１４ｅは、ステップ２３で抽出された他の属性データに基づいて、他のアーティスト名毎に他の属性データの数をカウントする（アーティスト名毎に属性データの数をカウント。ステップ２４）。
【００５０】
表示制御部１４ｄは、ステップ２４でカウントされた他の属性データの数が多い他のアーティスト名から優先的に表示部１２に表示する（属性データの数が多い他のアーティスト名から優先的に表示。ステップ２５）。
【００５１】
以上から明らかなように、本実施形態に係るリモコン装置１は、他のアーティスト名毎に他の属性データの数をカウントする第１のカウント部１４ｅを有し、表示制御部１４ｄは、カウントされた他の属性データの数が多い他のアーティスト名から優先的に表示する。このようにして表示されたアーティスト名は、利用者が知っている可能性がより高くなる。従って、利用者にとって、当該アーティストの楽曲を過去にカラオケ歌唱したことが無い場合であっても、知っている楽曲がある等の可能性がより高くなる。
【００５２】
＜第３実施形態＞
次に、図１２〜図１５を参照して、第３実施形態に係るリモコン装置１について説明する。本実施形態に係るリモコン装置１は、他の属性データに含まれる年代を考慮してアーティスト名を優先的に表示する。なお、第１実施形態または第２実施形態と同様の構成については詳細な説明を省略する。
【００５３】
＝＝リモコン装置＝＝
図１２はリモコン装置１のハードウェア構成例を示す図である。本実施形態において制御部１４は、第１抽出部１４ａ、年代特定部１４ｂ、第２抽出部１４ｃ、表示制御部１４ｄ、及び第２のカウント部１４ｆとして機能する。
【００５４】
（第２のカウント部）
第２のカウント部１４ｆは、他のアーティスト名毎に他の属性データに含まれる年代の種類数をカウントする。
【００５５】
第１実施形態で述べたように、第２抽出部１４ｃは他の属性データを抽出する。第２のカウント部１４ｆは、抽出された他の属性データに含まれるアーティスト名毎に、年代の種類数をカウントする。年代の種類数は、異なる年代の数である。
【００５６】
たとえば、図５に示したような属性データが抽出されたとする。この場合、第２のカウント部１４ｆは、アーティスト名毎に年代の種類数をカウントする。なお、図５の例において、アーティスト名「ＭＥＴＡＢＯＣＡ」の年代は、１９９３年が２つと１９９４年が１つであるが、年代の種類数としては、１９９３年と１９９４年の２つ（２種類）となる。従って、第２のカウント部１４ｆは、竹田聖子「１種類（１９９２年）」、酔吐零次「１種類（１９９３年）」、ＭＥＴＡＢＯＣＡ「２種類（１９９３年、１９９４年）」、ＢＥＥＲＳ「３種類（１９９２年、１９９３年、１９９４年）」という値を得る（図１３参照）。
【００５７】
（表示制御部）
本実施形態に係る表示制御部１４ｄは、カウントされた年代の種類数が多い他のアーティスト名から優先的に表示する。
【００５８】
図１３の例において、年代の種類数が最も多いのは、ＢＥＥＲＳ（３種類）である。よって、表示制御部１４ｄは、アーティスト名「ＢＥＥＲＳ」を表示画面の一番上に表示し、年代の種類数が多い方から、「ＭＥＴＡＢＯＣＡ」、「竹田聖子」、「酔吐零次」の順で表示させる（図１４参照）。なお、「竹田聖子」、「酔吐零次」のように年代の種類数が同じ場合には、どちらを優先してもよい。
【００５９】
＝＝リモコン装置における処理について＝＝
次に、図１５を参照して本実施形態に係るリモコン装置１における処理について述べる。図１５は、リモコン装置１における処理例を示すフローチャートである。この例では、データ記憶部１０ａが複数の属性データを記憶している。
【００６０】
ステップ３０〜ステップ３３は、第１実施形態のステップ１０〜ステップ１３と同様であるため詳細な説明を省略する。
【００６１】
第１のカウント部１４ｅは、ステップ３３で抽出された他の属性データに基づいて、他のアーティスト名毎に、他の属性データに含まれる年代の種類数をカウントする（アーティスト名毎に年代の種類数をカウント。ステップ３４）。
【００６２】
表示制御部１４ｄは、ステップ３４でカウントされた年代の種類数が多い他のアーティスト名から優先的に表示部１２に表示する（年代の種類数が多い他のアーティスト名から優先的に表示。ステップ３５）。
【００６３】
以上から明らかなように、本実施形態に係るリモコン装置１は、他のアーティスト名毎に他の属性データに含まれる年代の種類数をカウントする第２のカウント部１４ｆを有し、表示制御部１４ｄは、カウントされた年代の種類数が多い他のアーティスト名から優先的に表示する。このようにして表示されたアーティスト名は、利用者が知っている可能性がより高くなる。従って、利用者にとって、当該アーティストの楽曲を過去にカラオケ歌唱したことが無い場合であっても、知っている楽曲がある等の可能性がより高くなる。
【００６４】
＜第４実施形態＞
次に、図１６〜図２３を参照して、第４実施形態に係るリモコン装置１について説明する。本実施形態に係るリモコン装置１は、年代毎の係数を用いてアーティスト名を優先的に表示する。なお、第１実施形態、第２実施形態、または第３実施形態と同様の構成については詳細な説明を省略する。
【００６５】
＝＝リモコン装置＝＝
図１６はリモコン装置１のハードウェア構成例を示す図である。本実施形態において制御部１４は、第１抽出部１４ａ、年代特定部１４ｂ、第２抽出部１４ｃ、表示制御部１４ｄ、第３のカウント部１４ｇ、係数算出部１４ｈ、第４のカウント部１４ｉ、補正部１４ｊ、及び合算部１４ｋとして機能する。
【００６６】
（第３のカウント部）
第３のカウント部１４ｇは、一のアーティスト名を含む属性データに含まれる年代毎に、当該一のアーティスト名を含む属性データの数をカウントする。
【００６７】
第１実施形態で述べたように、第１抽出部１４ａは一のアーティスト名を含む属性データを抽出する。第３のカウント部１４ｇは、抽出された一のアーティスト名を含む属性データに含まれる年代毎に、属性データの数をカウントする。
【００６８】
たとえば、図４に示したような属性データが抽出されたとする。この場合、第３のカウント部１４ｇは、年代毎に属性データの数をカウントし、１９９２年「２」、１９９３年「３」、１９９４年「１」という値を得る（図１７参照）。
【００６９】
（係数算出部）
係数算出部１４ｈは、カウントされた属性データの数に基づいて、年代毎の係数を算出する。
【００７０】
係数は、属性データの数が多い年代ほど大きい値となるように設定される。係数算出部１４ｈは、たとえば「係数＝（年代毎の属性データの数÷全属性データの数）＋１」という式に基づいて係数を算出する。この場合、図１７の例であれば、１９９２年の係数は「１．３３」、１９９３年の係数は「１．５０」、１９９４年の係数は「１．１６」となる（図１８参照）。
【００７１】
（第４のカウント部）
第４のカウント部１４ｉは、他の属性データに基づいて、他のアーティスト名毎且つ年代毎に他の属性データの数をカウントする。
【００７２】
第１実施形態で述べたように、第２抽出部１４ｃは他の属性データを抽出する。第４のカウント部１４ｉは、他の属性データに含まれるアーティスト名毎に他の属性データを分類する。そして、第４のカウント部１４ｉは、分類された他の属性データに含まれる年代毎に他の属性データの数をカウントする。
【００７３】
たとえば、図５に示したような他の属性データが抽出されたとする。この場合、第４のカウント部１４ｉは、アーティスト名毎且つ年代毎に他の属性データの数をカウントする（図１９参照）。
【００７４】
（補正部）
補正部１４ｊは、カウントされた他の属性データの数を、年代毎の係数に基づいて補正する。
【００７５】
たとえば、係数算出部１４ｈにより、図１８に示した係数が算出されたとする。また、第４のカウント部１４ｉの処理により、図１９のような結果が得られたとする。この場合、補正部１４ｊは、各アーティスト名の年代毎にカウントされた他の属性データの数に、対応する年代の係数を乗じ、補正を行う（図２０参照）。
【００７６】
（合算部）
合算部１４ｋは、補正された他の属性データの数を、他のアーティスト名毎に合算する。
【００７７】
たとえば図２０のような補正結果が得られたとする。この場合、合算部１４ｋは、アーティスト毎に属性データの数を合算した値を求める（図２１参照）。
【００７８】
（表示制御部）
本実施形態に係る表示制御部１４ｄは、合算された他の属性データの数が多い他のアーティスト名から優先的に表示する。
【００７９】
図２１の例において、補正された属性データの数が最も多いのは、酔吐零次（６．００）である。よって、表示制御部１４ｄは、アーティスト名「酔吐零次」を表示画面の一番上に表示し、合算された属性データの数が多い方から、「ＭＥＴＡＢＯＣＡ」（４．１６）、「ＢＥＥＲＳ」（３．９９）、「竹田聖子」（２．６６）の順で表示させる（図２２参照）。
【００８０】
＝＝リモコン装置における処理について＝＝
次に、図２３を参照して本実施形態に係るリモコン装置１における処理について述べる。図２３は、リモコン装置１における処理例を示すフローチャートである。この例では、データ記憶部１０ａが複数の属性データを記憶している。
【００８１】
ステップ４０及びステップ４１は、第１実施形態のステップ１０及びステップ１１と同様であり、ステップ４４及びステップ４５は、第１実施形態のステップ１２及びステップ１３と同様であるため詳細な説明を省略する。
【００８２】
第３のカウント部１４ｇは、ステップ４１で抽出された属性データに含まれる年代毎に、当該一のアーティスト名を含む属性データの数をカウントする（年代毎に属性データの数をカウント。ステップ４２）。
【００８３】
係数算出部１４ｈは、ステップ４２でカウントされた属性データの数に基づいて、年代毎の係数を算出する（年代毎の係数を算出。ステップ４３）。
【００８４】
第４のカウント部１４ｉは、ステップ４５で抽出された他の属性データに基づいて、他のアーティスト名毎且つ年代毎に他の属性データの数をカウントする（他のアーティスト名毎且つ年代毎に他の属性データの数をカウント。ステップ４６）。
【００８５】
補正部１４ｊは、ステップ４６でカウントされた他の属性データの数を、ステップ４３で算出された年代毎の係数に基づいて補正する（他の属性データの数を補正。ステップ４７）。
【００８６】
合算部１４ｋは、ステップ４７で補正された他の属性データの数を、他のアーティスト名毎に合算する（他の属性データの数をアーティスト名毎に合算。ステップ４８）。
【００８７】
表示制御部１４ｄは、ステップ４８で合算された他の属性データの数が多い他のアーティスト名から優先的に表示する（合算された他の属性データの数が多い他のアーティスト名から優先的に表示。ステップ４９）。
【００８８】
以上から明らかなように、本実施形態に係るリモコン装置１は、一のアーティスト名を含む属性データに含まれる年代毎に、当該一のアーティスト名を含む属性データの数をカウントする第３のカウント部１４ｇと、カウントされた属性データの数に基づいて、年代毎の係数を算出する係数算出部１４ｈと、他の属性データに基づいて、他のアーティスト名毎且つ年代毎に他の属性データの数をカウントする第４のカウント部１４ｉと、カウントされた他の属性データの数を、年代毎の係数に基づいて補正する補正部１４ｊと、補正された他の属性データの数を、他のアーティスト名毎に合算する合算部１４ｋと、を有し、表示制御部１４ｄは、合算された他の属性データの数が多い他のアーティスト名から優先的に表示する。このようにして表示されたアーティスト名は、利用者が知っている可能性がより高くなる。従って、利用者にとって、当該アーティストの楽曲を過去にカラオケ歌唱したことが無い場合であっても、知っている楽曲がある等の可能性がより高くなる。
【００８９】
なお、補正された他の属性データの数を合算しなくともよい。表示制御部１４ｄは、たとえば図２０の例において、補正された他の属性データの数が最も多いアーティスト名「酔吐零次」（６．００）を表示画面の一番上に表示する。一方、「ＭＥＴＡＢＯＣＡ」や「ＢＥＥＲＳ」のように補正された属性データの数が複数あるアーティストについては、その中で最も多い値を採用する。すなわち、表示制御部１４ｄは、補正された属性データの数が多い方から、「ＭＥＴＡＢＯＣＡ」（３．００）、「竹田聖子」（２．６６）、「ＢＥＥＲＳ」（１．５０）の順で表示させる。
【００９０】
＜その他＞
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００９１】
１  リモコン装置
２  カラオケ装置
１０ａ  データ記憶部
１４ａ  第１抽出部
１４ｂ  年代特定部
１４ｃ  第２抽出部
１４ｄ  表示制御部
【図１】
2020020893.tif 000003
【図２】
2020020893.tif 000004
【図３】
2020020893.tif 000005
【図４】
2020020893.tif 000006
【図５】
2020020893.tif 000007
【図６】
2020020893.tif 000008
【図７】
2020020893.tif 000009
【図８】
2020020893.tif 000010
【図９】
2020020893.tif 000011
【図１０】
2020020893.tif 000012
【図１１】
2020020893.tif 000013
【図１２】
2020020893.tif 000014
【図１３】
2020020893.tif 000015
【図１４】
2020020893.tif 000016
【図１５】
2020020893.tif 000017
【図１６】
2020020893.tif 000018
【図１７】
2020020893.tif 000019
【図１８】
2020020893.tif 000020
【図１９】
2020020893.tif 000021
【図２０】
2020020893.tif 000022
【図２１】
2020020893.tif 000023
【図２２】
2020020893.tif 000024
【図２３】
2020020893.tif 000025